(57)【要約】【課題】  復水脱塩装置の再生工程において操作が必要な弁の開閉状態を容易かつ確実に確認する。【解決手段】  復水脱塩装置の構成系統図を表示可能な表示手段２１と、再生工程において操作が必要な弁の開閉状態を構成系統図に関連付けて記憶した弁開閉状態記憶手段１２と、再生工程の段階を入力する再生工程段階入力手段１１と、再生工程段階入力手段１１からの入力情報に基づいて弁開閉状態記憶手段１２に記憶された弁の開閉状態を取得する弁開閉状態取得手段１３とを備える。弁開閉状態取得手段１３により取得した弁開閉状態を表示手段２１により表示する。復水脱塩装置の再生工程において必要な弁は、その開閉状態に応じて点灯または消灯する発光手段を有している。【選択図】  図１
2007283266.tif 000002
【特許請求の範囲】
【請求項１】
復水脱塩装置の再生工程において操作が必要な弁の開閉状態を確認するためのシステムであって、
復水脱塩装置の構成系統図を表示可能な表示手段と、
再生工程において操作が必要な弁の開閉状態を前記構成系統図に関連付けて記憶した弁開閉状態記憶手段と、
再生工程の段階を入力する再生工程段階入力手段と、
前記再生工程段階入力手段からの入力情報に基づいて前記弁開閉状態記憶手段に記憶された弁の開閉状態を取得する弁開閉状態取得手段と、を備え、
前記弁開閉状態取得手段により取得した弁開閉状態を前記表示手段により表示することを特徴とする復水脱塩装置の再生工程における弁開閉状態確認システム。
【請求項２】
復水脱塩装置の再生工程において必要な弁は、その開閉状態に応じて点灯または消灯する発光手段を有することを特徴とする請求項１に記載の復水脱塩装置の再生工程における弁開閉状態確認システム。
【請求項３】
復水脱塩装置が設置された設備の運転状況を総合的に管理する運転状況管理手段を備え、
前記再生工程段階入力手段は、前記運転状況管理手段から再生工程の段階に関する情報を取得することを特徴とする請求項１または２に記載の復水脱塩装置の再生工程における弁開閉状態確認システム。
【請求項４】
前記表示手段は、作業者が携帯可能な携帯端末における機能の一部として構成されることを特徴とする請求項１〜３のいずれか１項に記載の復水脱塩装置の再生工程における弁開閉状態確認システム。
【請求項５】
前記携帯端末は、無線通信手段を備えており、該無線通信手段を用いて情報の送受信を行うことを特徴とする請求項４に記載の復水脱塩装置の再生工程における弁開閉状態確認システム。
【発明の詳細な説明】
【技術分野】
【０００１】
本発明は、復水脱塩装置の再生工程における弁開閉状態確認システムに関し、特に復水脱塩装置の再生工程において操作が必要な弁の開閉状態を容易かつ確実に確認することができる弁開閉状態確認システムに関する。
【背景技術】
【０００２】
火力発電所等では発電に利用した蒸気の凝縮により復水が生成する。この復水はボイラ水として再利用されるため、復水中から脱塩を行うための復水脱塩装置が設けられている。火力発電所には、例えば、復水脱塩装置として、アニオン交換樹脂およびカチオン交換樹脂が混合状態で充填された混床式の脱塩塔が複数並列して設置されている。復水は脱塩塔に通水させることにより、配管腐食やタービンスケールの原因となるカチオンおよびアニオンを含むイオン性物質が除去されるとともに、金属酸化物等の固形物が除去される。
【０００３】
また、復水からの脱塩を継続すると、復水脱塩装置における脱塩能力が低下するため、所定の頻度で、各復水脱塩装置毎にカチオン再生塔やアニオン再生塔を備えた再生装置を用いて、復水脱塩装置における脱塩能力を回復させていた。
【０００４】
このような復水脱塩装置において、設備を簡素化するとともに、簡単な操作で効率良く再生操作を行うことができる技術が種々提案されている。
例えば、「復水脱塩システム、再生方法および装置（特開２００３−１９４３８号公報：特許文献１）に、設備を簡素化するとともに、再生の必要が生じたときに迅速に再生を行うことができ、脱塩工程に支障を生じさせることがなく、再生の操作も簡単で効率よく再生を行うことができる技術が開示されている。
【０００５】
上記した特許文献１に記載された「復水脱塩システム、再生方法および装置」は、移動式の再生ユニットを各脱塩装置の位置に移動して接続器を接続し、脱塩装置において再生が必要な再生脱塩塔から樹脂交換装置により要再生樹脂を取り出し、取り出された要再生樹脂を接続装置により再生ユニットに供給してカチオン再生塔およびアニオン再生塔で再生を行い、再生した再生済樹脂を接続装置により樹脂交換装置に供給し、供給された再生済樹脂を樹脂交換装置により脱塩塔に充填して脱塩を行うようにしたものである。
【０００６】
【特許文献１】特開２００３−１９４３８号公報
【発明の開示】
【発明が解決しようとする課題】
【０００７】
ところで、復水脱塩装置の再生工程において、復水脱塩装置から要再生樹脂を取り出したり、復水脱塩装置のブローを行ったりする際には、復水脱塩装置とカチオン再生塔やアニオン再生塔等からなる再生装置との間に設置された複数の配管の弁を開閉操作しなければならない。この配管は複数系統あり、各配管にも複数の弁が設けられている。
また、復水脱塩装置では、運転・再生状態により配管系統等が常に変化している。従来の発電所設備は、その運転状況を総合的に管理する運転状況管理装置を備えており、中央制御室や現地盤において、各設備の運転状況を把握できるようになっている。
【０００８】
しかしながら、従来の運転状況管理装置では、復水脱塩装置の再生工程における弁の開閉状態を表示する機能がなかった。特に、複数の配管および弁が配設されているため、作業に未熟な作業者の場合には、開閉状態を確認すべき弁を見つけ出すのに手間を要するという問題があった。
このため、復水脱塩装置の再生工程において、どのような配管系統が使用され、複数の弁がどのように開閉操作されているのかを把握することができず、万全な監視体制を採っていたとしても、異常が発生した際に早急な対応を行うことができないおそれがあった。
【０００９】
なお、上述した特許文献１に記載された「復水脱塩システム、再生方法および装置」は、設備を簡素化するとともに、簡単な操作で効率良く再生操作を行うことを目的としているが、弁の開閉状態を把握するための技術については何ら開示されていない。
【００１０】
本発明は上述した事情に鑑み提案されたもので、復水脱塩装置の再生工程において操作が必要な弁の開閉状態を容易かつ確実に確認することができる弁開閉状態確認システムを提供することを目的とする。
【課題を解決するための手段】
【００１１】
本発明に係る復水脱塩装置の再生工程における弁開閉状態確認システムは、上述した目的を達成するため、以下の特徴点を備えている。
すなわち、本発明に係る復水脱塩装置の再生工程における弁開閉状態確認システムは、復水脱塩装置の再生工程において操作が必要な弁の開閉状態を確認するためのシステムであって、復水脱塩装置の構成系統図を表示可能な表示手段と、再生工程において操作が必要な弁の開閉状態を前記構成系統図に関連付けて記憶した弁開閉状態記憶手段と、再生工程の段階を入力する再生工程段階入力手段と、前記再生工程段階入力手段からの入力情報に基づいて前記弁開閉状態記憶手段に記憶された弁の開閉状態を取得する弁開閉状態取得手段と、を備え、前記弁開閉状態取得手段により取得した弁開閉状態を前記表示手段により表示することを特徴とするものである。
【００１２】
ここで、復水脱塩装置の再生工程において必要な弁は、その開閉状態に応じて点灯または消灯する発光手段を有することが好ましい。
【００１３】
また、復水脱塩装置が設置された設備の運転状況を総合的に管理する運転状況管理手段を備え、前記再生工程段階入力手段は、前記運転状況管理手段から再生工程の段階に関する情報を取得することが好ましい。
【００１４】
また、前記表示手段は、作業者が携帯可能な携帯端末における機能の一部として構成されることが好ましい。この場合、前記携帯端末は、無線通信手段を備えており、該無線通信手段を用いて情報の送受信を行うことが好ましい。
【発明の効果】
【００１５】
本発明に係る復水脱塩装置の再生工程における弁開閉状態確認システムでは、再生工程において操作が必要な弁の開閉状態を復水脱塩装置の構成系統図に関連付けて記憶しておき、表示装置を用いて、復水脱塩装置の再生工程において操作が必要な弁の開閉状態を表示することができる。したがって、復水脱塩装置の再生工程において、どのような配管系統が使用され、複数の弁がどのように開閉操作されているのかを容易かつ確実に把握することができる。さらに、復水脱塩装置の再生作業に未熟な初心者であっても、簡単に複数の弁の開閉操作状態を確認することができるので、作業者の負担を軽減することができる。
【００１６】
また、弁の開閉状態に応じて点灯または消灯する発光手段を設けた場合には、夜間等において作業現場の明るさが十分でない場合であっても、弁の開閉状態を即座に把握することができる。例えば、弁が開状態となった際に点灯する発光ダイオード等を設けておけば、当該発光ダイオードが消灯していると、開状態となっているべき弁が閉状態となっていることを瞬時に確認することができる。
【００１７】
また、再生工程段階入力手段が、復水脱塩装置が設置された設備の運転状況を総合的に管理する運転状況管理手段から再生工程の段階に関する情報を取得するような構成とした場合には、再生工程段階に関する情報を容易かつ確実に取得することができる。
【００１８】
また、表示手段を、作業者が携帯可能な携帯端末における機能の一部として構成した場合には、作業者が携帯端末を携行して作業現場まで赴くことができるので、作業現場において実際に複数の弁がどのように開閉操作されているのかを把握することができる。したがって、弁の開閉操作に不具合があった場合には、作業現場において迅速かつ適切な対応を行うことができる。
【００１９】
また、携帯端末に無線通信手段を備えさせ、無線通信手段を用いて情報の送受信を行うような構成とした場合には、携帯端末の携行範囲が広がり、さらに一層容易かつ確実に弁の開閉状態を把握することができる。
【発明を実施するための最良の形態】
【００２０】
以下、図面を参照して、本発明に係る復水脱塩装置の再生工程における弁開閉状態確認システムの実施形態を説明する。
【００２１】
図１〜図５は本発明の実施形態に係る復水脱塩装置の再生工程における弁開閉状態確認システムに関するもので、図１は弁開閉状態確認システムの概略構成を示す機能説明図、図２は弁および発光手段の模式図、図３〜図５は表示手段における弁開閉状態表示の一例を示す模式図である。なお、図３〜図５では、説明を容易なものとするため、復水脱塩装置およびその周辺機器を簡略化して示している。したがって、実際に表示手段に表示される復水脱塩装置、周辺機器、配管系統および弁は、発電所等で現実に使用されているものとなっていることは勿論である。
【００２２】
＜弁開閉状態確認システムの構成＞
本発明の実施形態に係る弁開閉状態確認システムは、復水脱塩装置の再生工程において操作が必要な弁の開閉状態を確認するためのシステムであり、操作が必要な弁の開閉状態を容易かつ確実に確認することができるようになっている。
【００２３】
この弁開閉状態確認システムは、図１および図２に示すように、表示手段２１、再生工程段階入力手段１１、弁開閉状態記憶手段１２、および弁開閉状態取得手段１３を基本構成としており、さらに復水脱塩装置の再生工程において必要な弁７０は、その開閉状態に応じて点灯または消灯する発光手段６０を有している。
【００２４】
なお、各手段はコンピュータシステムおよびその周辺機器を含んで構成されており、コンピュータシステムを構成するＣＰＵ等がアプリケーションプログラムに従って動作することにより各手段としての機能を発揮するようになっている。特に弁開閉状態記憶手段１２は、コンピュータシステムの構成要素であるデータベースとして構築することができる。
【００２５】
表示手段２１は、復水脱塩装置の構成系統図を表示するための手段であり、例えばコンピュータシステムおよびその構成機器である液晶表示器等の表示装置から構成される。この表示手段２１は、作業者が携帯可能な携帯端末２０における機能の一部として構成することが好ましい。この場合、ノートパソコンやＰＤＡ等の携帯端末２０の表示装置が表示手段２１の一構成要素として機能する。
【００２６】
また、図１に示す例では、再生工程段階入力手段１１、弁開閉状態記憶手段１２、および弁開閉状態取得手段１３をシステム本体１０とし、このシステム本体１０を携帯端末２０とは別体として構成しているが、表示手段２１、弁開閉状態記憶手段１２、再生工程段階入力手段１１、および弁開閉状態取得手段１３の全てを携帯端末２０の機能として構成してもよい。
【００２７】
ここで、携帯端末２０は無線通信手段２２を備えており、この無線通信手段２２を用いて弁開閉状態取得手段１３と情報の送受信を行うことができる構成とすることが好ましい。例えば、無線通信手段２２として、無線ＬＡＮ機器を使用することができる。この場合、システム本体１０にも無線通信手段１４を設けるとともに、作業現場の適宜箇所に無線ＬＡＮを構築するためのアクセスポイント４０を設けておく必要がある。
【００２８】
弁開閉状態記憶手段１２は、再生工程において操作が必要な弁７０の開閉状態を構成系統図に関連付けて記憶するための手段であり、例えばコンピュータシステムの構成要素であるデータベースとして構築することができる。
【００２９】
再生工程段階入力手段１１は、再生工程の段階を入力するための手段であり、例えばコンピュータシステムおよびその構成機器であるキーボードやマウス等の入力装置から構成される。また、復水脱塩装置が設置された設備の運転状況を総合的に管理する運転状況管理手段３０を備える構成とした場合には、再生工程段階入力手段１１は、この運転状況管理手段３０から再生工程の段階に関する情報を取得するように構成することが好ましい。さらに、運転状況管理手段３０と再生工程段階入力手段１１との間における情報の伝達には、ＬＡＮ回線等の電気通信回線５０を用いることができる。
【００３０】
弁開閉状態取得手段１３は、再生工程段階入力手段１１からの入力情報に基づいて弁開閉状態記憶手段１２に記憶された弁７０の開閉状態を取得するための手段であり、例えばコンピュータシステムおよびその周辺機器の機能として実現される。
【００３１】
図２に示すように、復水脱塩装置の再生工程において必要な弁７０は、その開閉状態に応じて点灯または消灯する発光手段６０を有している。この発光手段６０は、例えばランプや発光ダイオード等からなり、例えば弁７０が開状態となった際に点灯し、弁７０が閉状態となっている際に消灯するようになっている。したがって、弁７０が開状態となっている必要がある場合に発光手段６０が消灯していると、開状態であるべき弁７０が閉状態となっているという不具合が存在することを瞬時に確認することができる。
【００３２】
＜表示画面＞
次に、図３〜図５を参照して、表示手段に表示される表示画面について説明する。
図３〜図５に示すように、復水脱塩装置８０ａ，８０ｂ，８０ｃにはその付属設備として、苛性ソーダタンク９０、アンモニア希釈タンク１００、再生塔１１０、樹脂タンク１２０、攪拌機１３０、排水槽１４０、補給水タンク１５０、再生ポンプ１６０等が設置されるとともに、各設備に連通接続された配管、および配管を開閉するための弁７０ａ〜７０ｗ等が設けられている。
【００３３】
なお、実際の発電所には、これらの付属設備の他にも付属設備が設置されているが、本実施形態では、説明を簡略なものとするために上記付属設備のみを表示している。また、図３〜図５は、本実施形態の説明にのみ用いるものであるため、各設備の配設位置および配設系統が実際の設備とは異なっている。
【００３４】
図３〜図５に示す例では、黒色表示された弁が閉状態となっている弁であり、白色表示された弁が開状態となっている弁である。図３は再生工程の最初に行われる第１工程における表示画面を示すものであり、図４は第１工程に続く第２工程における表示画面を示すものであり、図５は第２工程に続く第３工程における表示画面を示すものである。
【００３５】
なお、図３〜図５に示す工程は抽象的なものであり、実際の復水脱塩装置における再生工程を示すものではない。実際の復水脱塩装置における再生工程の一例を挙げると、再生工程は大別して、要再生樹脂の取出工程、受入工程、採水準備工程、採水工程の４つの工程からなり、各工程はさらに細分化されている。
【００３６】
例えば、取出工程は、取出水抜工程、取出第１−１工程、取出第１−２工程、取出第２−１ａ工程、取出第２−１ｂ工程、取出第２−２工程に細分化される。また、受入工程は、受入水抜工程、受入第１−１工程、受入第１−２工程、受入第２−１ａ工程、受入第２−１ｂ工程、受入第２−２工程に細分化される。また採水準備工程は、水抜工程、混合工程、満水第１工程、沈整工程、満水第２工程、ブロー工程（ブロー工程および回収工程）に細分化される。また、採水工程は、ブロー工程、リサイクル工程、採水工程に細分化される。
【００３７】
図３に示す第１工程では、弁７０ｄ，７０ｅ，７０ｆ，７０ｇ，７０ｈ，７０ｉ，７０ｊ，７０ｋ，７０ｌ，７０ｍ，７０ｎ，７０ｏ，７０ｐ，７０ｑ，７０ｒ，７０ｓが閉状態となり、弁７０ａ，７０ｂ，７０ｃ，７０ｔ，７０ｕ，７０ｖ，７０ｗが開状態となっている必要がある。また、図４に示す第２工程では、弁７０ｄ，７０ｅ，７０ｆ，７０ｇ，７０ｈ，７０ｉ，７０ｌ，７０ｍ，７０ｐ，７０ｑ，７０ｒ，７０ｓが閉状態となり、弁７０ａ，７０ｂ，７０ｃ，７０ｊ，７０ｋ，７０ｎ，７０ｏ，７０ｔ，７０ｕ，７０ｖ，７０ｗが開状態となっている必要がある。また、図５に示す第３工程では、弁７０ｄ，７０ｅ，７０ｆ，７０ｇ，７０ｈ，７０ｉ，７０ｊ，７０ｋ，７０ｐ，７０ｑ，７０ｒ，７０ｓが閉状態となり、弁７０ａ，７０ｂ，７０ｃ，７０ｌ，７０ｍ，７０ｎ，７０ｏ，７０ｔ，７０ｕ，７０ｖ，７０ｗが開状態となっている必要がある。
【００３８】
作業者は、これらの表示画面を参照しながら、現場における弁７０ａ〜７０ｗの開閉状態を確認し、表示画面の表示と異なる弁７０ａ〜７０ｗが存在する場合には、不具合が発生しているとして当該弁７０ａ〜７０ｗの開閉状態が表示画面と同様となるような復旧操作を行えばよい。
【００３９】
この際、弁７０ａ〜７０ｗに設けられた発光手段６０の発光状態を確認することにより、さらに容易に弁７０ａ〜７０ｗの開閉状態を確認することができる。例えば、弁が開状態となった際に点灯する発光ダイオードを発光手段として採用した場合に、当該発光ダイオードが消灯していると、開状態となっているべき弁が閉状態となっていることを瞬時に確認することができる。また、夜間等、作業現場の照度が低い場合には、開状態となっているべき弁の位置をいち早く見つけ出すことができるので、作業に未熟な初心者であっても、容易かつ確実に弁の開閉状態を確認することができる。
【００４０】
なお、復水脱塩装置の再生工程には、さらに複数の工程があるが、これらの工程においても、図３〜図５に示す表示画面と同様に、各工程における弁の開閉状態が表示される。
【産業上の利用可能性】
【００４１】
本発明は、復水脱塩装置の再生工程において操作が必要な弁の開閉状態を確認する際に使用することができる。
【図面の簡単な説明】
【００４２】
【図１】本発明の実施形態に係る復水脱塩装置の再生工程における弁開閉状態確認システムの概略構成を示す機能説明図である。
【図２】弁および発光手段の模式図である。
【図３】表示手段における弁開閉状態表示の一例を示す模式図である。
【図４】表示手段における弁開閉状態表示の一例を示す模式図である。
【図５】表示手段における弁開閉状態表示の一例を示す模式図である。
【符号の説明】
【００４３】
１０  システム本体
１１  再生工程段階入力手段
１２  弁開閉状態記憶手段
１３  弁開閉状態取得手段
１４  無線通信手段
２０  携帯端末
２１  表示手段
２２  無線通信手段
３０  運転状況管理手段
４０  アクセスポイント
５０  電気通信回線
６０  発光手段
７０（７０ａ〜ｗ）  弁
８０（８０ａ〜ｃ）  復水脱塩装置
９０  苛性ソーダタンク
１００  アンモニア希釈タンク
１１０  再生塔
１２０  樹脂タンク
１３０  攪拌機
１４０  排水槽
１５０  補給水タンク
１６０  再生ポンプ
【図１】
2007283266.tif 000003
【図２】
2007283266.tif 000004
【図３】
2007283266.tif 000005
【図４】
2007283266.tif 000006
【図５】
2007283266.tif 000007